(57)【特許請求の範囲】
【請求項１】
オイルダンパの端部に上下一対からなる二又状ブラケットを設け、当該ブラケットの間に被取付け側のプレートを挿入し、ブラケットとプレートとに相対向して孔を設け、プレートの孔内に中空なガイドを設け、このガイド内に孔を設けた球面軸受を揺動自在に設け、上記プレートの孔と上記球面軸受の孔内にピンを嵌合してオイルダンパをプレートに結合するオイルダンパの取付け構造に於て、上記球面軸受けの孔とブラケットの孔内に上方に向けて縮径されたテーパ面を形成した拡径可能な筒状スリーブからなるスペーサを挿入させ、上記スペーサの内側に上方に向けて縮径されたテーパ面を形成したピンを嵌合させ、更に上記ブラケットの上下に一対の押え板を配設し、上方の押え板をスペーサの上端に当接し且つ下方の押え板を上記ピンの下端に当接させながらこれらの押え板をボルトを介してそれぞれ上下のブラケットに結合させたことを特徴とするオイルダンパの取付け構造。
【請求項２】
スペーサがスリ割りを備えた拡径可能な筒状スリーブからなっていることを特徴とする請求項１のオイルダンパの取付構造。
【発明の詳細な説明】
【０００１】
【発明の属する技術分野】
本発明は、オイルダンパの取付構造に関し、特に制振用のオイルダンパを構造物の柱梁架構側に結合するのに適するオイルダンパの取付構造に関する。
【０００２】
【従来の技術】
縦方向に起立する多数の柱材と、隣接する二つの柱材間に上下方向に沿う梁材を多数架設して上下方向に沿う多数の矩形柱梁架構を構成する構造物として高層ビルディング，高層タワーが知られており、これらの構造物に地震等の振動外力が作用したり、強風が作用すると、この構造物全体が振れたり、柱材に曲げモーメントが発生して構造物の上方がたわむ等の不具合が生じる。この為、従来上記矩形柱梁架構にブレースとオイルダンパとを組合せた制振装置が組付けられて地震等の外力を減衰して構造物の振れ等を防止するようにしている。
【０００３】
このような制振装置としては、例えば、特許第２５１３３５６号公報に開示されているが、オイルダンパを柱梁架構に取付ける場合には、図４，図５に示すような構造が採用されている。
【０００４】
図４に示すオイルダンパの取付け構造は、減衰器たるオイルダンパ２０の端部に二又状のブラケット２１，２１を設け、柱梁架構側にプレート２０を設け、ブラケット２１，２１とプレート２２とに相対向して設けた孔２３，２４内に直交する方向からピン２５を嵌合することによりオイルダンパ２０をプレート２２側に結合するものである。この場合プレート２２には孔２４を備えたガイド２６を設け、ブラケット２１，２１の上下には押え板２７，２８を設け、ボルト２９，３０を介して押し板２７，２８をブラケット２１，２１に結合することによってピン２５の抜け止めを図っている。
【０００５】
図５に示すオイルダンパの取付け構造はフムレート２２に中空なガイド２６ａを設け、このガイド２６ａ内に孔２４を備えた球面軸受３１を揺動自在に設け、この球面軸受３１の中央の孔２４内にピン２５を嵌合させたものである。その他の構造は図４と同じである。
【０００６】
【発明が解決しようとする課題】
上記図４，図５に示す従来のオイルダンパの取付構造では機能上欠陥があるわけではないが、ピン２７の外周とプレート２２側の孔２３，２４との間には若干の隙間があり、ピン２５自体にガタが発生する。この為、柱梁架構側に地震等による振動が発生した時、この振動が微振幅である場合には、振動がオイルダンパ２０側に入力されず十分な減衰効果、即ち、制振ができない場合がある。
【０００７】
そこで、本発明の目的は、ピンをガタ無くブラケットとプレートの孔内に嵌合でき、ブラケットとプレートの結合を密にし、例えば、プレート側の振動等の入力を確実にオイルダンパ側に伝達して十分な減衰効果が図れるようにしたオイルダンパの取付構造を提供すること。
【０００８】
【課題を解決するための手段】
上記の目的を達成するため、本発明の手段は、 オイルダンパの端部に上下一対からなる二又状ブラケットを設け、当該ブラケットの間に被取付け側のプレートを挿入し、ブラケットとプレートとに相対向して孔を設け、プレートの孔内に中空なガイドを設け、このガイド内に孔を設けた球面軸受を揺動自在に設け、上記プレートの孔と上記球面軸受の孔内にピンを嵌合してオイルダンパをプレートに結合するオイルダンパの取付け構造に於て、上記球面軸受けの孔とブラケットの孔内に上方に向けて縮径されたテーパ面を形成した拡径可能な筒状スリーブからなるスペーサを挿入させ、上記スペーサの内側に上方に向けて縮径されたテーパ面を形成したピンを嵌合させ、更に上記ブラケットの上下に一対の押え板を配設し、上方の押え板をスペーサの上端に当接し且つ下方の押え板を上記ピンの下端に当接させながらこれらの押え板をボルトを介してそれぞれ上下のブラケットに結合させたことを特徴とするものである。
【０００９】
この場合、スペーサがスリ割りを備えた拡径可能な筒状スリーブからなっているのが好ましい。
【００１０】
【発明の実施の形態】
以下、本発明の実施の形態を図１乃至図３に基づいて説明する。
【００１１】
本発明は、例えば図３に示すような柱梁架構に対角線方向に沿って架設したオイルダンパの取付けに利用されるのに適するものである。
【００１２】
高層ビルディング，高層タワー等の構造物は縦方向に起立する柱材１，１を前後，左右に多数配置し、隣接する二つの柱材１，１間に上下方向に沿って多数の梁材２，３を架設し、二本の柱材１，１と上下二本の柱材２，３とで上下に連続するラーメン構造の柱梁架構４を構成している。
【００１３】
上記単一の柱梁架構４内の対角線上にそれぞれブレース１０と減衰器たるオイルダンパ２０とを直列に接続した減衰装置１２を配設し、当該減衰装置１２の両端をそれぞれ柱材１，１と梁材２，３との各交叉部にプレート２２，２２を介して結合させている。
【００１４】
オイルダンパ２０はシリンダとシリンダ内にピストンを介して移動自在に挿入したピストンロッドとからなり、ブレース１０の一端はシリンダに直列に結合され、このブレース１０の下端はプレート２２に球面軸受、ピン３７等を介して結合されている。オイルダンパ２０には二又状のブラケット２１を設け、このブラケット２１をプレート２２に対してピン３７で結合している。
【００１５】
柱材１，１と梁材２，３との交叉部は柱材１，１の軸芯と梁材２，３の軸芯との交点又はこの交点の斜め延長線上に設けられている。例えば、図３に示す実施の形態のように、各柱材１，１に水平方向のプレート２２，２２を設け、対角線上に配置した減衰装置１２の両端をそれぞれのプレート２２，２２に結合し、プレート２２，２２と減衰装置１１との両端結合位置を柱材１の軸芯と梁材２，３の軸芯との交点Ｐの延長線上に設定してもよい。
【００１６】
オイルダンパ２０とプレート２２とは図１に示すような取付け構造で結合されている。
【００１７】
オイルダンパ２０は上記従来技術と同じように端部に二又状のブラケット２１，２１が設けられ、このブラケット２１，２１の中央に孔２３が形成されている。
【００１８】
上下のブラケット２１，２１間には被取付け側であるプレート２２が挿入され、このプレート２２にピン３７とスペーサ３８を介して結合している。
【００１９】
プレート２２の孔内には中空なガイド３９を溶接等で結合し、このガイド３９の中空部４０内に球面軸受４１を揺動自在に嵌合させている。
【００２０】
球面軸受４１は外周に球面を形成し、中央にプレートト２２と直交する方向の孔を形成している。
【００２１】
球面軸受４１の孔内には内周にテーパ面３８ｂを形成した拡径可能な筒状スリーブからなるスペーサ３８，３８を挿入させ、更に上記スペーサ３８，３８の内側に外周にテーパ面３７ａを形成したピン３７を嵌合させている。図１に示すようにスペーサ３８のテーパ面３８ｂは上方に向けて縮径され、ピン３７のテーパ面３７ａも上方に向けて縮径され、ピン３７を下方から上方に向けて嵌合した時両側のスペーサ３８，３８が球面軸受４１の内周側に押し付けられ、これによりピン外周と球面軸受４１の内周との間にはスペーサ３８，３８によって隙間が形成されず、楔効果によりピン３７のガタの発生を防止している。
【００２２】
ブラケット２１，２１の上下には押え板２７，２８が配設され、これらの押え板２７，２８はボルト２９，３０を介してブラケット２１，２１に結合され、押え板２７，２８がピン３７とスペーサ３８の抜けを防止している。尚、球面軸受４１を設けず、プレート２２の孔に直接スペーサ３８とピン３７を嵌合してもよい。スペーサ３８は図２に示すようにスリ割り３８ａを形成しているが、このスリ割り３８ａは無くても使用できる。同じくスペーサ３８はピン３７の外周に隙間を無くするようにするものであれば他の構造のものであってもよい。
【００２３】
【発明の効果】
本発明によれば、次の効果が得られる。
【００２４】
球面軸受の孔とブラケットの孔内に上方に向けて縮径されたテーパ面を形成した拡径可能な筒状スリーブからなるスペーサを挿入させ、上記スペーサの内側に上方に向けて縮径されたテーパ面を形成したピンを嵌合させたから、ピンをスペーサ内に嵌合した時ピン外周のテーパ面とスペーサ内周のテーパ面よる楔効果でスペーサが拡径して当該スペーサが球面軸受の内周に押し付けられ、結果的にピンとスペーサとの間およびスペーサと球面軸受との間に楔効果で隙間を無くしているからピンにガタの発生か無く、プレート側に入力された振動等がそのままオイルダンパ側に伝達され、上記入力を確実に減衰できる。
更に上記ブラケットの上下に一対の押え板を配設し、上方の押え板をスペーサの上端に当接し且つ下方の押え板を上記ピンの下端に当接させながらこれらの押え板をボルトを介してそれぞれ上下のブラケットに結合させたから、各押え板がピンとスペーサの抜けを防止する。
【図面の簡単な説明】
【図１】本発明の一実施の形態に係るオイルダンパの取付構造の拡大断面図である。
【図２】スペーサの正面図である。
【図３】オイルダンパを柱梁架構に取付けた状態の正面図である。
【図４】従来のオイルダンパの取付構造の断面図である。
【図５】従来の他のオイルダンパの取付構造の断面図である。
【符号の説明】
２０  オイルダンパ
２１  ブラケット
２２  プレート
２３，２４  孔
３７  ピン
３７ａ  テーパ面
３８  スペーサ
３８ａ  スリ割り
３８ｂ  テーパ面
【図１】
0003773159.tif 000002
【図２】
0003773159.tif 000003
【図３】
0003773159.tif 000004
【図４】
0003773159.tif 000005
【図５】
0003773159.tif 000006